(57)【特許請求の範囲】
【請求項１】
ケース本体に拡散板および光学シートが挿入されると共に、ケース本体にモールドフレームが装着されるバックライトユニットにおいて、
前記拡散板および前記光学シートの一辺から外側に突出され、前記挿入された状態で互いに重合する耳部がそれぞれ備えられ、
前記ケース本体に、前記拡散板および前記光学シートのそれぞれの前記耳部に対応して各耳部が挿入される耳部挿入部が備えられると共に、該耳部挿入部は前記耳部が備えられた辺の長さ方向に対し、前記耳部よりも長く形成されて互いに重合される耳部の一方側に規制空間部が形成され、
前記モールドフレームの内面側に、前記ケース本体に装着する際、前記規制空間部に嵌入される規制突部が突設されていることを特徴とするバックライトユニット。
【請求項２】
請求項１に記載のバックライトユニットにおいて、
前記拡散板および前記光学シートに備えられた前記各耳部は、互いに対向する両側の辺にそれぞれ備えられると共に、両側の各耳部は辺の長さ方向に対して互いに長さの異なる長尺耳部と短尺耳部とされ、長尺耳部の前記長さは前記耳部挿入部の前記辺の長さ方向長さより僅かに短い略同じ長さに形成されていることを特徴とするバックライトユニット。
【請求項３】
請求項２に記載のバックライトユニットにおいて、
前記ケース本体は、前記耳部挿入部を備えた樹脂製のサイドフレームをそれぞれ備え、互いのサイドフレームが点対称形状とされていることを特徴とするバックライトユニット。
【請求項４】
請求項１ないし請求項３のいずれかに記載のバックライトユニットにおいて、
このバックライトユニットは、表示面側一方向から組み立てる構造とされていることを特徴とするバックライトユニット。
【発明の詳細な説明】
【技術分野】
【０００１】
本発明は、表示装置の直下型バックライトユニットにおいて、拡散板や光学シートの反転誤挿入を防止するバックライトユニットの構造に関するものである。
【背景技術】
【０００２】
従来の液晶表示装置用の直下型バックライトユニットにおいて、光学部材としての拡散板や光学シートの反転誤挿入防止対策として、拡散板や光学シートのコーナー部に面取りを施し、シート挿入方向の目印とした対策や、拡散板や光学シートに左右大きさの異なる耳部形状を施して、挿入方向の目印にした対策等の構造が採られている場合が多かった。
【０００３】
また、光学シートの一方側に互いに重なり合わない耳部を設け、反転誤挿入を防止する構造のものもある（例えば、特許文献１参照）。
【０００４】
【特許文献１】特開平１１−３５２４７６号公報
【発明の開示】
【発明が解決しようとする課題】
【０００５】
しかしながら、拡散板や光学シートの挿入方向判別のため、光学部材のコーナー部に面取りを施す構造によれば、挿入方向を注意することにより反転誤挿入の防止効果はあるものの、構造的に反転誤挿入が可能であるため、組み立てミスのおそれもあった。
【０００６】
また、左右大きさの異なる耳部形状を施す構造によれば、樹脂製サイドフレームを左右別々の形状を採用しないと効果が無く、サイドフレームの射出成形金型を２種類製作する必要があり、コストアップとなってしまう。そのため、従来の液晶表示装置用の直下型バックライトユニットにあっては、樹脂製サイドフレームの射出成形金型費削減のため、同一部材を使用していた。
【０００７】
従って、バックライトユニット組み立て時において、拡散板や光学シートの反転誤挿入防止や位置決め目的で左右の耳部形状を変えていても、樹脂製サイドフレームの耳部を支持する部分の形状が同一なため、同様に、反転誤挿入が可能な構造となっており、組み立てミスを誘発する可能性があった。
【０００８】
そこで、本発明は、上記のような問題点を解消するためになされたもので、モールドフレームに拡散板や光学シートの反転誤挿入を防止する構造を形成することにより、組み付けミスを有効に防止するバックライトユニットを提供することを目的とする。
【課題を解決するための手段】
【０００９】
本発明は、ケース本体に拡散板および光学シートが挿入されると共に、ケース本体にモールドフレームが装着されるバックライトユニットにおいて、前記拡散板および前記光学シートの一辺から外側に突出され、前記挿入された状態で互いに重合する耳部がそれぞれ備えられ、前記ケース本体に、前記拡散板および前記光学シートのそれぞれの前記耳部に対応して各耳部が挿入される耳部挿入部が備えられると共に、該耳部挿入部は前記耳部が備えられた辺の長さ方向に対し、前記耳部よりも長く形成されて互いに重合される耳部の一方側に規制空間部が形成され、前記モールドフレームの内面側に、前記ケース本体に装着する際、前記規制空間部に嵌入される規制突部が突設されていることを特徴とする。
【発明の効果】
【００１０】
本発明のバックライトユニットによれば、拡散板および光学シートの一辺から外側に突出され、ケース本体に挿入された状態で互いに重合する耳部がそれぞれ備えられ、ケース本体に、拡散板および光学シートのそれぞれの耳部に対応して各耳部が挿入される耳部挿入部が備えられると共に、該耳部挿入部は耳部が備えられた辺の長さ方向に対し、耳部よりも長く形成されて互いに重合される耳部の一方側に規制空間部が形成され、モールドフレームの内面側に、ケース本体に装着する際、規制空間部に嵌入される規制突部が突設されている構造とされているため、拡散板や光学シートが正規の姿勢でケース本体に挿入されている場合には、ケース本体にモールドフレームを装着する際、モールドフレームに突設された規制突部と規制空間部との位置が合致して、モールドフレームが装着でき、拡散板や光学シートが正規姿勢で組み付けられていることが判断できる。
【００１１】
これに対し、拡散板や光学シートが反転誤挿入されて正規の姿勢でケース本体に挿入されていない場合には、耳部挿入部の所定位置に規制空間部が確保されず、ケース本体にモールドフレームを装着する際、モールドフレームに突設された規制突部が拡散板や光学シートの耳部に干渉して、モールドフレームが装着できなくなり、組み付けミスが有効に防止でき、拡散板や光学シート等が反転誤挿入されていると判断される。
【発明を実施するための最良の形態】
【００１２】
＜実施の形態１＞
以下、本発明の実施の形態１として液晶表示装置の直下型バックライトユニットにおける拡散板や光学シートの光学部材の反転誤挿入防止構造を図面に基づいて説明する。
【００１３】
図１は、直下型バックライトユニット１の分解斜視図を示しており、リアフレーム２と、左右のサイドフレーム３，４と、ＬＥＤやＣＣＦＬやＥＥＦＬ等からなる光源５と、図示省略の反射シートと、拡散板６と、複数枚の光学シート７と、モールドフレーム８とを備えた構造とされている。
【００１４】
リアフレーム２は、底板部２ａと、該底板部２ａの前後縁部より上方に立設された前壁部２ｂおよび後壁部２ｃを備え、前壁部２ｂおよび後壁部２ｃには、モールドフレーム８に適宜備えられた係止部が係脱自在に係止される被係止部がそれぞれ備えられている。なお、前壁部２ｂの被係止部と後壁部２ｃの被係止部とは、モールドフレーム８の装着姿勢を規制すべく、互いに異なる形状とされている。
【００１５】
左右のサイドフレーム３，４は、同一の樹脂成形品が使用されており、各サイドフレーム３，４の所定位置に耳部挿入部３ａ，４ａがそれぞれ備えられている。そして、リアフレーム２の前壁部２ｂと後壁部２ｃにおける左右両側端部間にまたがって装着され、各サイドフレーム３，４にも、モールドフレーム８に適宜備えられた係止部が係脱自在に係止される被係止部がそれぞれ備えられている。
【００１６】
この左右のサイドフレーム３，４の組み付け状態においては、互いのサイドフレーム３，４が、バックライトユニット１の中心に対して点対称形状となっている。そして、リアフレーム２とリアフレーム２に組み付けられたこれらサイドフレーム３，４によって、バックライトユニット１におけるケース本体９が構成されている。
【００１７】
光学部材としての拡散板６や各光学シート７の互いに対向する左右両側の辺には、図１ないし図５や図７ないし図９に示されるように、突出する耳部６ａ，６ｂ，７ａ，７ｂがそれぞれ備えられている。各耳部６ａ，６ｂ，７ａ，７ｂは、各サイドフレーム３，４の耳部挿入部３ａ，４ａに対応した位置にそれぞれ設けられると共に、両側の各耳部６ａ，６ｂ，７ａ，７ｂは、拡散板６や光学シート７の辺の長さ方向に対して互いに長さの異なる短尺耳部６ａ，７ａと長尺耳部６ｂ，７ｂとされている。なお、従来同様、拡散板６や光学シート７のそれぞれの所定のコーナー部にも挿入方向の目印としての適宜面取りが施されている。例えば、左上コーナー部に面取りが施されている。
【００１８】
そして、本実施の形態では、左側サイドフレーム３の耳部挿入部３ａに対応する拡散板６および光学シート７の耳部６ａ，７ａがそれぞれ長さＳの短い短尺耳部６ａ，７ａとされ、右側サイドフレーム４の耳部挿入部４ａに対応する拡散板６および光学シート７の耳部６ｂ，７ｂがそれぞれ長さＬの長い長尺耳部６ｂ，７ｂとされている。
【００１９】
即ち、長尺耳部６ｂ，７ｂの長さＬは、右側サイドフレーム４の耳部挿入部４ａにおける長尺耳部６ｂ，７ｂの長さ方向長さよりも僅かに短い略同じ長さに形成されており、耳部挿入部４ａに対して拡散板６や光学シート７の各長尺耳部６ｂ，７ｂが嵌合状に挿入されて重合される構造とされている。
【００２０】
これに対して、短尺耳部６ａ，７ａの長さＳは、左側サイドフレーム３の耳部挿入部３ａにおける短尺耳部６ａ，７ａの長さ方向長さよりも短い長さに形成されているため、図２ないし図４に示されるように、拡散板６や光学シート７の各短尺耳部６ａ，７ａが耳部挿入部３ａに対して挿入された場合には、耳部挿入部３ａにおける一方側に規制空間部１０を残して互いに重合される構造とされている。
【００２１】
前記モールドフレーム８は、図６ないし図８に示されるように、前記規制空間部１０の位置に対応する内面側に、前記規制空間部１０に嵌入される規制突部８ａが突設されている。そして、モールドフレーム８がケース本体９に装着された際には、耳部挿入部３ａの一方側に形成される規制空間部１０の位置に、規制突部８ａが嵌入される構造とされている。
【００２２】
次に、このバックライトユニット１の組み立て手順の一例を挙げると、初めに組み立てのベースとなるリアフレーム２を設置し、その上から順に光源５、左右のサイドフレーム３，４をリアフレーム２に固定する。
【００２３】
次に、光源５部分に開口孔を開けた図示省略の反射シートを貼り付ける。その後、左右非対称の耳部６ａ，６ｂ，７ａ，７ｂやコーナー部に面取りを施した拡散板６や各光学シート７を順に挿入する。
【００２４】
そして、最後にモールドフレーム８を取り付ける構造とされており、バックライトユニット１の組み立てが表示面側一方向より行える構造となっている。
【００２５】
本実施の形態は以上のように構成されており、拡散板６や各光学シート７が正規の姿勢でケース本体９に挿入されている場合には、図２ないし図５に示されるように、左側サイドフレーム３における耳部挿入部３ａに、互いに重合状に挿入された短尺耳部６ａ，７ａによって、所定位置に規制空間部１０が確保されて状態となっている。これに対し、右側サイドフレーム４の耳部挿入部４ａにおいては、略隙間なく長尺耳部６ｂ，７ｂが互いに重合状に挿入された状態となっている。
【００２６】
この状態で、ケース本体９にモールドフレーム８を組み付ければ、モールドフレーム８に設けられた規制突部８ａの位置に対応して規制空間部１０が確保されているため、規制空間部１０に規制突部８ａが嵌入されていき、モールドフレーム８を装着することができる。ここに、拡散板６や各光学シート７が正規姿勢で組み付けられていることが判断できる。
【００２７】
これに対し、拡散板６や各光学シート７が反転誤挿入されて正規の姿勢でケース本体９に挿入されていない場合には、図９に示されるように、左側サイドフレーム３における耳部挿入部３ａには、長尺耳部６ｂ，７ｂが挿入された状態となって、何ら隙間が生じず、所定位置に規制空間部１０が確保されない状態となる。逆に、右側サイドフレーム４の耳部挿入部４ａには、短尺耳部６ａ，７ａが挿入された状態となるため、規制空間部１０と同様な無用空間部１１が生じる状態となる。
【００２８】
この状態で、ケース本体９にモールドフレーム８を組み付ければ、モールドフレーム８の規制突部８ａに対応した位置に規制空間部１０が確保されていないため、ケース本体９にモールドフレーム８組み付ける際、モールドフレーム８の規制突部８ａが反転誤挿入されている拡散板６や光学シート７の長尺耳部６ｂ，７ｂに干渉して、モールドフレーム８を組み付けすることができず、ここにモールドフレーム８の組み付けを強制的に不能とし、反転誤挿入による組み付けミスが有効に防止できる。そして、このことにより拡散板６や光学シート７等が反転誤挿入されていると判断できる。
【００２９】
また、モールドフレーム８に規制突部８ａを設けることにより、反転誤挿入を有効に防止できるため、左右のサイドフレーム３，４は同一形状であってもよく、耳部挿入部３ａ，４ａの形状を異にする射出成形金型を起こす必要がなく、コスト削減も有効に図れる。
【００３０】
さらに、バックライトユニット１の組み付けに際して、表示面側に対応する一方向より組み付けを可能な構造としているため、組み付け性に優れ、この点からも製造コスト削減が図れる利点がある。
【００３１】
＜その他の実施の形態＞
上記実施の形態１においては、モールドフレーム８の内面側に、図６に示されるような突起形状の規制突部８ａを突設した構造を示しているが、図１０に示されるような、ボス形状の規制突部８ａであっても同様の効果が得られ、何ら実施の形態１の形状に限定されない。
【図面の簡単な説明】
【００３２】
【図１】本発明の実施の形態１に係る直下型バックライトユニットの分解斜視図である。
【図２】モールドフレーム組み付け前の斜視図である。
【図３】モールドフレーム組み付け前の平面図である。
【図４】図３の一部拡大図である。
【図５】図３の一部拡大図である。
【図６】モールドフレーム内面側の要部拡大斜視図である。
【図７】モールドフレームと光学部材との位置関係を示す裏面側からの説明斜視図である。
【図８】図７の一部拡大図である。
【図９】光学部材が反転誤挿入状態で挿入された状態を示す平面図である。
【図１０】別の実施の形態を示すモールドフレーム内面側の要部拡大斜視図である。
【符号の説明】
【００３３】
１  バックライトユニット、２  リアフレーム、３  左側サイドフレーム、３ａ  耳部挿入部、４  右側サイドフレーム、４ａ  耳部挿入部、６  拡散板、６ａ  短尺耳部、６ｂ  長尺耳部、７  光学シート、７ａ  短尺耳部、７ｂ  長尺耳部、８  モールドフレーム、８ａ  規制突部、９  ケース本体、１０  規制空間部。
【図１】
0005025573.tif 000002
【図２】
0005025573.tif 000003
【図３】
0005025573.tif 000004
【図４】
0005025573.tif 000005
【図５】
0005025573.tif 000006
【図６】
0005025573.tif 000007
【図７】
0005025573.tif 000008
【図８】
0005025573.tif 000009
【図９】
0005025573.tif 000010
【図１０】
0005025573.tif 000011